(57)【要約】【課題】  床や壁の内部に埋め込まれた多数のケーブルの両端の対応関係を容易かつ確実に把握できるようにする。【解決手段】  ケーブル本体１３の一端、他端および中央部に取り付けられた第１、第２、第３ＩＣタグ１６，１７，１８が同一のケーブル本体１３であることを示す情報を発信するので、その情報をリーダ２１により非接触で読み取ることで、床や壁の内部に埋め込まれた所定のケーブルＣの一端、他端および中央部の対応関係を容易に把握し、ケーブルＣの両端のコネクタ１４，１５を第１、第２コンピュータ端末１１，１２に接続する配線作業を短時間で確実に行うことができる。また第１〜第３ＩＣタグ１６，１７，１８をケーブルＣに取り付けるだけなので、配線の前作業が極めて容易である。【選択図】        図１
2005228689.tif 000002
【特許請求の範囲】
【請求項１】
ケーブル本体（１３）と、ケーブル本体（１３）の一端に取り付けられた第１ＩＣタグ（１６）と、ケーブル本体（１３）の他端に取り付けられた第２ＩＣタグ（１７）とを備え、第１、第２ＩＣタグ（１６，１７）は同一のケーブル本体（１３）であることを示す情報をリーダ（２１）に非接触で読み取り可能に発信することを特徴とするケーブル。
【請求項２】
第１、第２ＩＣタグ（１６，１７）の少なくとも一方はケーブル本体（１３）の長さを示す情報を発信することを特徴とする、請求項１に記載のケーブル。
【請求項３】
ケーブル本体（１３）の一端および他端間に第３ＩＣタグ（１８，１８Ａ〜１８Ｆ）を備え、第３ＩＣタグ（１８，１８Ａ〜１８Ｆ）は同一のケーブル本体（１３）であることを示す情報をリーダ（２１）に非接触で読み取り可能に発信することを特徴とする、請求項１に記載のケーブル。
【請求項４】
第３ＩＣタグ（１８Ａ〜１８Ｆ）を複数備え、それぞれの第３ＩＣタグ（１８Ａ〜１８Ｆ）はケーブル本体（１３）の一端に近い側からの順番を示す情報を発信することを特徴とする、請求項３に記載のケーブル。
【請求項５】
第３ＩＣタグ（１８Ａ〜１８Ｆ）はケーブル本体（１３）の一端から該第３ＩＣタグ（１８Ａ〜１８Ｆ）までの距離を示す情報を発信することを特徴とする、請求項３に記載のケーブル。
【請求項６】
ケーブル本体（１３）と、ケーブル本体（１３）に沿うように配置された電力供給線（２５）と、ケーブル本体（１３）の一端において電力供給線（２５）の一端が接続される電力供給部（２４）と、ケーブル本体（１３）の他端に設けられて電力供給線（２５）の他端が接続されたＩＣタグ（１７′）とを備え、電力供給部（２４）から電力供給線（２５）を介して供給される電力で、ＩＣタグ（１７′）はケーブル本体（１３）に固有の情報をリーダ（２１）に非接触で読み取り可能に発信することを特徴とするケーブル。
【発明の詳細な説明】
【技術分野】
【０００１】
本発明は、建物の床や壁の内部に埋め込まれて信号の伝達や電力の供給に使用されるケーブルに関する。
【背景技術】
【０００２】
信号伝達用のケーブルや電力供給用のケーブルを床下の空間や壁の内部を通して配線するものが、下記特許文献１および下記特許文献２により公知である。また地中に埋設された管路やケーブルのような被検出物に、ＩＣタグを所定間隔で取り付けたテープを沿わせることで、その埋設位置を非接触で探査できるようにしたものが、下記特許文献３により公知である。
【特許文献１】特開２０００−３２８７６６号公報
【特許文献２】特開平１１−８９０５８号公報
【特許文献３】特開２００３−１４８６５３号公報
【発明の開示】
【発明が解決しようとする課題】
【０００３】
ところで、建物の床や壁の内部に同種のケーブルを多数配線する場合、所定のケーブルの両端を識別するのが困難であり、その配線作業に多くの時間および労力が必要となる問題がある。また上記特許文献３に記載されたものは、長尺のテープを非検出物に沿って取り付ける必要があるため、非検出物が細いケーブルである場合には取付作業が面倒になる問題がある。
【０００４】
本発明は前述の事情に鑑みてなされたもので、床や壁の内部に埋め込まれた多数のケーブルの両端の対応関係を容易かつ確実に把握できるようにすることを目的とする。
【課題を解決するための手段】
【０００５】
上記目的を達成するために、請求項１に記載された発明によれば、ケーブル本体と、ケーブル本体の一端に取り付けられた第１ＩＣタグと、ケーブル本体の他端に取り付けられた第２ＩＣタグとを備え、第１、第２ＩＣタグは同一のケーブル本体であることを示す情報をリーダに非接触で読み取り可能に発信することを特徴とするケーブルが提案される。
【０００６】
また請求項２に記載された発明によれば、請求項１の構成に加えて、第１、第２ＩＣタグの少なくとも一方はケーブル本体の長さを示す情報を発信することを特徴とするケーブルが提案される。
【０００７】
また請求項３に記載された発明によれば、請求項１の構成に加えて、ケーブル本体の一端および他端間に第３ＩＣタグを備え、第３ＩＣタグは同一のケーブル本体であることを示す情報をリーダに非接触で読み取り可能に発信することを特徴とするケーブルが提案される。
【０００８】
また請求項４に記載された発明によれば、請求項３の構成に加えて、第３ＩＣタグを複数備え、それぞれの第３ＩＣタグはケーブル本体の一端に近い側からの順番を示す情報を発信することを特徴とするケーブルが提案される。
【０００９】
また請求項５に記載された発明によれば、請求項３の構成に加えて、第３ＩＣタグはケーブル本体の一端から該第３ＩＣタグまでの距離を示す情報を発進することを特徴とするケーブルが提案される。
【００１０】
また請求項６に記載された発明によれば、ケーブル本体と、ケーブル本体に沿うように配置された電力供給線と、ケーブル本体の一端において電力供給線の一端が接続される電力供給部と、ケーブル本体の他端に設けられて電力供給線の他端が接続されたＩＣタグとを備え、電力供給部から電力供給線を介して供給される電力により、ＩＣタグはケーブル本体に固有の情報をリーダに非接触で読み取り可能に発信することを特徴とするケーブルが提案される。
【発明の効果】
【００１１】
請求項１の構成によれば、ケーブル本体の一端および他端に取り付けられた第１、第２ＩＣタグが同一のケーブル本体であることを示す情報を発信するので、その情報をリーダにより非接触で読み取ることで、床や壁の内部に埋め込まれた所定のケーブルの一端および他端の対応関係を容易に把握し、ケーブルの配線作業を短時間で確実に行うことができる。また第１、第２ＩＣタグをケーブルに取り付けるだけなので、配線の前作業が極めて容易である。
【００１２】
請求項２の構成によれば、第１、第２ＩＣタグの少なくとも一方がケーブル本体の長さを示す情報を発信するので、その情報をリーダにより非接触で読み取って第１、第２ＩＣタグの位置と比較することで、床や壁の内部に埋め込まれた所定のケーブル本体の弛み状態を容易に把握することができる。
【００１３】
請求項３の構成によれば、ケーブル本体の一端および他端間に設けた第３ＩＣタグが、第１、第２ＩＣタグが設けられたケーブル本体と同一のケーブル本体であることを示す情報を発信するので、その情報をリーダにより非接触で読み取ることで、床や壁の内部に埋め込まれた所定のケーブル本体の中間部がどの位置にあるのかを容易に把握することができる。
【００１４】
請求項４の構成によれば、複数の第３ＩＣタグがケーブル本体の一端に近い側からの順番を示す情報を発信するので、その情報をリーダにより非接触で読み取ることで、床や壁の内部に埋め込まれた所定のケーブル本体の配置経路を容易に把握することができる。
【００１５】
請求項５の構成によれば、第３ＩＣタグがケーブル本体の一端から該第３ＩＣタグまでの距離を示す情報を発信するので、その情報をリーダにより非接触で情報の読み取って第１ＩＣタグの位置と比較することで、床や壁の内部に埋め込まれた所定のケーブル本体の第１ＩＣタグおよび第３ＩＣタグ間の弛み状態を容易に把握することができる。
【００１６】
請求項６の構成によれば、ケーブル本体に沿うように配置された電力供給線の一端および他端を電力供給部およびＩＣタグに接続し、ＩＣタグは電力供給部から電力供給線を介して供給される電力でケーブル本体に固有の情報を発信するので、その情報をリーダにより非接触で読み取ることで、床や壁の内部に埋め込まれた所定のケーブルの一端および他端の対応関係を容易に把握し、ケーブルの配線作業を短時間で確実に行うことができる。しかもＩＣタグからの情報の発信に必要な電力を電力供給線を介して供給するので、ＩＣタグの出力を高めて確実な通信を可能にすることができる。またＣタグをケーブルに取り付けるだけなので、配線の前作業が極めて容易である。
【発明を実施するための最良の形態】
【００１７】
以下、本発明の実施の形態を、添付の図面に示した本発明の実施例に基づいて説明する。
【００１８】
先ず、図１および図２に基づいて本発明の第１実施例を説明する。
【００１９】
自動車の組み立てラインに構築されたＬＡＮ（ローカル・エリア・ネットワーク）は多数台のコンピュータ端末を多数本のケーブルで相互に接続してなる。図１には、そのうち２台の第１、第２コンピュータ端末１１，１２と、床下に配置されて前記２台のコンピュータ端末１１，１２を接続する１本のケーブルＣとが示される。ケーブル本体１３の一端には第１コンピュータ端末１１に接続される第１コネクタ１４が設けられるとともに、ケーブル本体１３の他端には第２のコンピュータ端末１２に接続される第２コネクタ１５が設けられる。
【００２０】
第１、第２コネクタ１４，１５には第１、第２ＩＣタグ１６，１７が設けられ、ケーブル本体１３の中央部には１個の第３ＩＣタグ１８が設けられる。各々のＩＣタグ１６，１７，１８は、ＣＰＵ、ＲＯＭ、Ｉ／Ｏ等を含むＩＣチップ１９と、外部のリーダ２１…との間で無線通信を行うアンテナ２０とで構成されており、そのＩＣチップ１９には所定の情報が予め記憶される。
【００２１】
【表１】
2005228689.tif 000003
【００２２】
表１に示すように、第１ＩＣタグ１６、第２ＩＣタグ１７および第３ＩＣタグ１８のＩＣチップ１９…には、それらのＩＣタグ１６，１７，１８のＩＤである「０００１−ｎ」（ｎ＝１，２，３）と、そのステータスである「ＳＴＡＲＴ」、「ＥＮＤ」、「ＭＩＤＤＬＥ」と、そのケーブルＣの長さである「２０ｍ」が情報として記憶される。ＩＣタグ１６，１７，１８のＩＤ「０００１−ｎ」（ｎ＝１，２，３）のうち、共通部分である「０００１」はケーブルＣのＩＤとなる。
【００２３】
複数のリーダ２１…はケーブル２２…を介して確認端末２３に接続されており、確認端末２３のモニタには建物情報、つまり工場の建物内における第１、第２コンピュータ端末１１，１２の位置、確認端末２３の位置、コンベアラインの位置、組立用ロボットの位置等が記憶されている。
【００２４】
従って、第１、第２コンピュータ端末１１，１２をケーブルＣで接続する配線作業を行うとき、床下に配置したケーブル本体１３の両端および中央部に設けた第１〜第３ＩＣタグ１６，１７，１８が発信する情報をリーダ２１…で読み取り、その情報を確認端末２３の画面に表示する。即ち、ケーブルＣのＩＤである「０００１」を指定すると、同じＩＤ「０００１」を有する第１〜第３ＩＣタグ１６，１７，１８の位置が確認端末２３のモニタに第１、第２コンピュータ端末１１，１２の位置、確認端末２３の位置、コンベアラインの位置、組立用ロボットの位置等と共に表示されるので、多数のケーブルのうちから、ＩＤ「０００１」を有する所定のケーブルＣの両端の位置を速やかに把握して第１、第２コンピュータ端末１１，１２への接続作業を容易に行うことができる。またケーブル本体１３の長さが表示されるので、ケーブル本体１３の両端の位置とケーブル本体１３の長さとを照らし合わせることで、ケーブル本体１３が直線状に延びているのか、中間に弛みがあるのかを把握することができる。しかもケーブル本体１３の中央部の位置（第３ＩＣタグ１８の位置）が表示されるので、ケーブルＣの配置経路を更に確実に把握することができる。また第１〜第３ＩＣタグ１６，１７，１８をケーブル本体１３に取り付けるだけなので配線の前作業が極めて容易であり、特に第１、第２ＩＣタグ１６，１７が第１、第２コネクタ１４，１５に一体化されているので前作業が更に容易になる。
【００２５】
次に、図３および図４に基づいて本発明の第２実施例を説明する。
【００２６】
第１実施例のケーブル本体１３は中央部に１個の第３ＩＣタグ１８を備えているが、第２実施例のケーブル本体１３は所定間隔で配置された複数個（実施例では６個）の第３ＩＣタグ１８Ａ〜１８Ｆを備えている。表２に示すように、第１〜第３ＩＣタグ１６，１７，１８Ａ〜１８Ｆには、そのＩＤである「０００１−ｎ」（ｎ＝１，２，…，８）と、そのステータスである「ＳＴＡＲＴ」、「ＥＮＤ」、「ＭＩＤＤＬＥ」と、そのケーブルＣの長さである「２０ｍ」と、その第３ＩＣタグ１８Ａ〜１８Ｆのケーブル本体１３の一端からの距離３ｍ，６ｍ，…，１８ｍとが情報として記憶される。
【００２７】
【表２】
2005228689.tif 000004
【００２８】
従って、この第２実施例によれば、ケーブルＣの配置経路を更に詳細に把握し、例えばケーブルＣの中間部が蛇行しているのか、巻き取られているのかまでを知ることができる。
【００２９】
次に、図５に基づいて本発明の第３実施例を説明する。
【００３０】
第１、第２実施例のＩＣタグ１６，１７，１８，１８Ａ〜１８Ｆは、リーダ２１…から送信される電波を受けたコイルにより誘導される起電力で情報を発信するものであるが、第３実施例のＩＣタグ１７′は第１コンピュータ端末１１の電力供給部２４から電極供給線２５を介して給電される。即ち、ケーブル本体１３には電極供給線２５が一体に設けられており、ケーブル本体１３の一端に設けられた第１コネクタ１４を第１コンピュータ端末１１に接続すると、第１コンピュータ端末１１に設けた電力供給部２４に電極供給線２５が接続される。ケーブル本体１３の他端の第２コネクタ１５には電極供給線２５を介して給電されるＩＣタグ１７′が設けられており、そのＩＣタグ１７′には少なくともケーブルＣのＩＤが記憶されている。
【００３１】
従って、第１コネクタ１４を第１コンピュータ端末１１に接続すると、電力供給部２４から電極供給線２５を介して給電されたＩＣタグ１７′がケーブルＣのＩＤの情報を発信し、その情報をリーダ２１…を介して受信した確認端末２３はＩＣタグ１７′が設けられたケーブルＣの他端の位置をモニタに表示する。これにより、一端が第１コンピュータ端末１１に接続されたケーブルＣの他端の位置を速やかに把握し、その他端を第２コンピュータ端末１２に接続する作業を容易かつ確実に行うことができる。しかもＩＣタグ１７′からの情報の発信に必要な電力を電力供給線２５を介して供給するので、ＩＣタグ１７′の出力を高めて確実な通信を可能にすることができる。またＩＣタグ１７′をケーブル本体１３に取り付けるだけなので配線の前作業が極めて容易であり、特にＩＣタグ１７′が第２コネクタ１５に一体化されているので前作業が更に容易になる。
【００３２】
以上、本発明の実施例を説明したが、本発明はその要旨を逸脱しない範囲で種々の設計変更を行うことが可能である。
【００３３】
例えば、ケーブルＣは通信用のケーブルに限定されず、給電用のケーブルであっても良く、またボーデンケーブルのような駆動力伝達用のケーブルであっても良い。
【００３４】
また請求項６の発明において、ケーブルＣが給電用のケーブルである場合には、ケーブル本体１３を電力供給線２５に共用することができる。
【００３５】
また実施例では全てのＩＣタグ１６，１７，１８，１８Ａ〜１８ＦにケーブルＣの長さの情報が記憶されているが、ケーブルＣの長さの情報は第１、第２ＩＣタグ１６，１７の少なくとも一方に記憶されていれば良い。
【図面の簡単な説明】
【００３６】
【図１】第１実施例に係るケーブルの配線工程を示す図
【図２】ケーブルの単品図
【図３】第２実施例に係るケーブルの配線工程を示す図
【図４】ケーブルの単品図
【図５】第３実施例に係るケーブルの単品図
【符号の説明】
【００３７】
１３        ケーブル本体
１６        第１ＩＣタグ
１７        第２ＩＣタグ
１７′      ＩＣタグ
１８        第３ＩＣタグ
１８Ａ〜１８Ｆ      第３ＩＣタグ
２１        リーダ
２４        電力供給部
２５        電力供給線
【図１】
2005228689.tif 000005
【図２】
2005228689.tif 000006
【図３】
2005228689.tif 000007
【図４】
2005228689.tif 000008
【図５】
2005228689.tif 000009